(57)【要約】      （修正有）【課題】コストを抑えながら、箱本体の開口部を塞いだ状態の蓋体を、箱本体に容易に固定することができる包装用箱を提供する。【解決手段】外面にスペーサ板を貼着した矩形の底板１３と、底板１３の四周に連続する４枚の側板１４，１５，１６，１７とを備えた箱本体１１に、箱本体１１の開口部１２を開閉する蓋体２１を一体に備える。蓋体２１は、スペーサ板を介して底板１３の外面に貼着される底板貼着部２２と、第１の側板１４の外面を覆う第１覆い部２３と、開口部１２を開閉する蓋板部２４と、第２の側板１５の外面を覆う第２覆い部２５とを備え、第２覆い部２５の先端部に、固定用舌片２６を形成する。スペーサ板は、第２の側板１５側に、固定用舌片２６に対応する形状の切欠き部を備え、固定用舌片２６を、切欠き部と底板１３と底板貼着部２２との間に形成された空間部に挿入して固定する。【選択図】図７
0003218371.tif 000002
【実用新案登録請求の範囲】
【請求項１】
外面にスペーサ板を貼着した矩形の底板と、該底板の四周に連続する４枚の側板とを備えた箱本体に、該箱本体の開口部を開閉する蓋体を一体に備えた包装用箱であって、前記蓋体は、前記スペーサ板を介して前記底板の外面に貼着される底板貼着部と、前記底板に連続する第１の側板の外面を覆う第１覆い部と、前記開口部を開閉する蓋板部と、前記開口部を挟んで前記第１の側板に対向する第２の側板の外面を覆う第２覆い部とを備え、該第２覆い部の先端部に、固定用舌片を形成するとともに、前記スペーサ板は、第２の側板側に、前記固定用舌片に対応する形状の切欠き部を備え、前記固定用舌片を、前記切欠き部と前記底板と前記底板貼着部との間に形成された空間部に挿入して固定することを特徴とする包装用箱。
【請求項２】
前記箱本体の外面と前記蓋体の外面とは化粧紙でそれぞれ被覆され、前記スペーサ板を貼着した前記底板の外面を被覆する化粧紙は、前記切欠き部に対応する位置に破断線を形成し、前記スペーサ板の外面に貼着されるスペーサ板被覆部と、前記破断線に沿って切り込まれ、前記底板の外面に貼着される底板被覆部とを備えていることを特徴とする請求項１記載の包装用箱。
【考案の詳細な説明】
【技術分野】
【０００１】
本考案は、開口部を備えた箱本体に、該開口部を開閉する蓋体を一体に備えた包装用箱に関する。
【背景技術】
【０００２】
従来、包装用箱として、開口部を備えた直方体状の箱本体に、前記開口部を開閉する蓋体を一体に設けたものがあった（例えば、特許文献１参照。）。
【先行技術文献】
【特許文献】
【０００３】
【特許文献１】実開昭６３−２３２１４号公報
【考案の概要】
【考案が解決しようとする課題】
【０００４】
しかし、上述の特許文献１の包装用箱では、箱本体の開口部を塞いだ状態の蓋体を、箱本体に固定する手段を備えていないことから、蓋体をテープやシールを用いて固定したり、輪ゴムや紐掛けによって固定しなければならず、手間が掛かっていた。また、蓋体と箱本体の開口部の接触部にマグネットを取り付けて、蓋体を固定するものもあるが、コストが嵩んでいた。
【０００５】
そこで本考案は、コストを抑えながら、箱本体の開口部を塞いだ状態の蓋体を、箱本体に容易に固定することができる包装用箱を提供することを目的としている。
【課題を解決するための手段】
【０００６】
上記の目的を達成するため本考案は、外面にスペーサ板を貼着した矩形の底板と、該底板の四周に連続する４枚の側板とを備えた箱本体に、該箱本体の開口部を開閉する蓋体を一体に備えた包装用箱であって、前記蓋体は、前記スペーサ板を介して前記底板の外面に貼着される底板貼着部と、前記底板に連続する第１の側板の外面を覆う第１覆い部と、前記開口部を開閉する蓋板部と、前記開口部を挟んで前記第１の側板に対向する第２の側板の外面を覆う第２覆い部とを備え、該第２覆い部の先端部に、固定用舌片を形成するとともに、前記スペーサ板は、第２の側板側に、前記固定用舌片に対応する形状の切欠き部を備え、前記固定用舌片を、前記切欠き部と前記底板と前記底板貼着部との間に形成された空間部に挿入して固定することを特徴としている。
【０００７】
また、前記箱本体の外面と前記蓋体の外面とは化粧紙でそれぞれ被覆され、前記スペーサ板を貼着した前記底板の外面を被覆する化粧紙は、前記切欠き部に対応する位置に破断線を形成し、前記スペーサ板の外面に貼着されるスペーサ板被覆部と、前記破断線に沿って切り込まれ、前記底板の外面に貼着される底板被覆部とを備えていると好ましい。
【考案の効果】
【０００８】
本考案の包装用箱によれば、底板の外面に、蓋体の固定用舌片に対応する形状の切欠き部を備えたスペーサ板を貼着するとともに、蓋体は、スペーサ板を介して底板の外面に貼着する底板貼着部と、第１の側板の外面を覆う第１覆い部と、開口部を開閉する蓋板部と、第２の側板の外面を覆う第２覆い部とを備え、該第２覆い部の先端部に、固定用舌片を形成し、該固定用舌片を、切欠き部と底板と底板貼着部との間に形成された空間部に挿入して固定することにより、コストを抑えながら、開口部を塞いだ状態で、蓋体を箱本体に容易に固定することができる。
【０００９】
また、前記底板の外面と前記蓋体の外面とは化粧紙でそれぞれ被覆することにより、デザイン性に優れた包装用箱となり、贈答品等を梱包する包装用箱として用いることができる。さらに、スペーサ板を貼着した状態の前記底板の外面を被覆する化粧紙は、切欠き部に対応する位置に破断線を設けていることから、まず、スペーサ板の外面にスペーサ板被覆部を貼着した後、破断線に沿って、底板被覆部を切り込んで底板の外面に貼着することにより、化粧紙を簡単に貼着させることができる。また、破断線を設けたことにより、スペーサ板を備えた箱本体を１枚の化粧紙で被覆することが可能となり、見栄えの向上と、製造コストの低減化を図ることができる。
【図面の簡単な説明】
【００１０】
【図１】本考案の一形態例を示す包装用箱の箱本体の展開図である。
【図２】同じく包装用箱の蓋体の展開図である。
【図３】同じく箱本体の一部断面正面図である。
【図４】図３のIV-IV断面図である。
【図５】本考案の一形態例を示す箱本体の斜視図である。
【図６】同じく化粧紙を貼着した状態の箱本体の底面図である。
【図７】同じく包装用箱の説明図である。
【図８】同じく包装用箱の一部断面側面図である。
【考案を実施するための形態】
【００１１】
図１乃至図８は、本発明の一形態例を示す包装用箱で、包装用箱１は、箱本体１１に、該箱本体１１の開口部１２を開閉する蓋体２１を一体に備えている。
【００１２】
箱本体１１は、図１に示されるように、長方形状の底板１３と、底板１３の一方の長辺に形成された谷折り線１３ａを介して立ち上げられる第１の側板１４と、他方の長辺に形成された谷折り線１３ｂを介して立ち上げられる第２の側板１５と、底板１３の一方の短片に形成された谷折り線１３ｃを介して立ち上げられる第３の側板１６と、他方の短片に形成された谷折り線１３ｄを介して立ち上げられる第４の側板１７とを有している。箱本体１１は、図３乃至図５に示されるように、上部に開口部１２を備えた有底の直方体状に組み立てられ、底板１３の外面には、スペーサ板１８が貼着される。
【００１３】
蓋体２１は、図２に示されるように、スペーサ板１８を介して底板１３の外面に貼着される底板貼着部２２と、該底板貼着部２２に谷折り線２２ａを介して連続し、底板１３に連続する第１の側板１４の外面を覆う第１覆い部２３と、該第１覆い部２３に谷折り線２３ａを介して連続し、開口部１２を開閉する蓋板部２４と、該蓋板部２４に谷折り線２４ａを介して連続し、開口部１２を挟んで第１の側板１４に対向する第２の側板１５の外面を覆う第２覆い部２５とを備え、第２覆い部２５の先端部には、三角形状の固定用舌片２６が谷折り線２５ａを介して形成されている。
【００１４】
スペーサ板１８は、図１に示されるように、底板１３と略同一形状の長方形状の板で形成され、第２の側板１５側に固定用舌片２６よりも僅かに大きな三角形状の切欠き部１８ａが形成されている。
【００１５】
さらに、箱本体１１の外面と蓋体２１の外面とは、化粧紙３１でそれぞれ被覆される。図６に示されるように、スペーサ板１８を貼着した状態の底板１３の外面を被覆する化粧紙３１は、切欠き部１８ａの両端部から所定の間隔を空けた位置から、切欠き部１８ａに対応する位置にミシン目３１ａ（本発明の破断線）が形成され、該ミシン目３１ａを境に、スペーサ板被覆部３１ｂと、底板被覆部３１ｃとが形成されている。化粧紙は、まず、スペーサ板１８の外面にスペーサ板被覆部３１ｂを貼着した後、ミシン目３１ａに沿って、底板被覆部３１ｃを切り込んで底板１３の外面に貼着する。
【００１６】
上述のように形成された包装用箱１は、図７及び図８に示されるように、箱本体１１の底板１３にスペーサ板１８を介して貼着された蓋体２１は、谷折り線２２ａを介して第１覆い部２３が第１の側板１４側に折曲されて該第１の側板１４を覆い、谷折り線２３ａを介して蓋板部２４が開口部１２方向に折曲されて該開口部１２を塞ぐ。さらに、谷折り部を介して第２覆い部２５が第２の側板１５側に折曲されて該第２の側板１５を覆い、谷折り線２５ａを介して固定用舌片２６が底板１３側に折曲され、該固定用舌片２６を、切欠き部１８ａと底板１３と底板貼着部２２との間に形成された空間部Ｅ１に挿入することにより、蓋体２１が箱本体１１の開口部１２を塞いだ状態で固定される。また、固定用舌片２６を空間部Ｅ１から抜いて、第２覆い部２５，蓋板部２４，第１覆い部２３を展開することにより、開口部１２が開放される。
【００１７】
このように、本形態例の包装用箱１によれば、蓋体２１に設けた固定用舌片２６を、箱本体１１の底板１３に貼着したスペーサ板１８の切欠き部１８ａと、底板１３と、底板貼着部２２との間に形成された空間部Ｅ１に挿入して固定することにより、コストを抑えながら、開口部１２を塞いだ状態で蓋体２１を箱本体１１に容易に固定することができる。
【００１８】
また、箱本体１１の外面と蓋体２１の外面とを化粧紙３１でそれぞれ被覆することにより、デザイン性に優れた包装用箱１となり、贈答品等を梱包する包装用箱として用いることができる。さらに、スペーサ板１８を貼着した状態の底板１３の外面を被覆する化粧紙３１は、スペーサ板１８の外面に貼着されるスペーサ板被覆部３１ｂと、切欠き部１８ａに沿って設けられたミシン目３１ａに沿って切り込んで底板１３の外面に貼着する底板被覆部３１ｃとを備えていることから、化粧紙３１を簡単に貼着させることができる。また、ミシン目３１ａを設けたことにより、スペーサ板１３を備えた箱本体１１を１枚の化粧紙で被覆することが可能となり、見栄えの向上と、製造コストの低減化を図ることができる。また、本形態例では、ミシン目３１ａは、切欠き部１８ａの両端部から所定の間隔を空けた位置から、切欠き部１８ａに対応する位置に形成されていることから、化粧紙３１が多少ずれて貼着されたとしても、対応することができる。
【００１９】
なお、本考案の包装用箱は、上述の形態例に限るものではない。例えば、固定用舌辺の形状は、三角形状に限るものではなく、先端をなだらかな円弧状に形成した突片等、任意の形状にすることができる。また、スペーサ板に設ける切欠き部も、固定用舌辺の形状に応じて、適宜、任意の形状にすればよい。さらに、化粧紙は、箱本体と蓋体とで異なる化粧紙を用いてもよい。
【符号の説明】
【００２０】
１…包装用箱、１１…箱本体、１２…開口部、１３…底板、１３ａ，１３ｂ，１３ｃ，１３ｄ…谷折り線、１４…第１の側板、１５…第２の側板、１６…第３の側板、１７…第４の側板、１８…スペーサ板、１８ａ…切欠き部、２１…蓋体、２２…底板貼着部、２２ａ…谷折り線、２３…第１覆い部、２３ａ…谷折り線、２４…蓋板部、２４ａ…谷折り線、２５…第２覆い部、２５ａ…谷折り線、２６…固定用舌片、３１…化粧紙、３１ａ…ミシン目、３１ｂ…スペーサ板被覆部、３１ｃ…底板被覆部
【図１】
0003218371.tif 000003
【図２】
0003218371.tif 000004
【図３】
0003218371.tif 000005
【図４】
0003218371.tif 000006
【図５】
0003218371.tif 000007
【図６】
0003218371.tif 000008
【図７】
0003218371.tif 000009
【図８】
0003218371.tif 000010